(57)【要約】  無線通信方法及び無線通信装置を開示している。前記無線通信装置は、第１の数のＲＦチェーンを介して１つ又は複数の受信機に伝送される複数のデータフローを生成し、第１の数のＲＦチェーンに第２の数のアンテナを動的に割り当てるためのアンテナ制御パラメータを配置するように配置される１つ又は複数のプロセッサを含み、当該１つ又は複数のプロセッサは、行う伝送にアンテナ制御パラメータを動的に配置し、第２の数のアンテナのいずれか１つのアンテナが第１の数のＲＦチェーンのいずれか１つのＲＦチェーンに配置可能に割り当てる。【選択図】図２
2018532315.tif 000002
【特許請求の範囲】
【請求項１】
通信システムにおける送信側の装置であって、
第１の数のＲＦチェーンを介して１つ又は複数の受信機に伝送される複数のデータフローを生成し、前記第１の数のＲＦチェーンに第２の数のアンテナを割り当てるためのアンテナ制御パラメータを配置するように配置される１つ又は複数のプロセッサを含み、
前記１つ又は複数のプロセッサは、行う伝送に前記アンテナ制御パラメータを動的に配置し、前記第２の数のアンテナのいずれか１つのアンテナが前記第１の数のＲＦチェーンのいずれか１つのＲＦチェーンに配置可能に割り当てられる装置。
【請求項２】
前記１つ又は複数のプロセッサは、前記第１の数のＲＦチェーンのうちの少なくとも２つのＲＦチェーンに異なる数のアンテナが割り当てられるように、前記アンテナ制御パラメータを配置する請求項１に記載の装置。
【請求項３】
前記１つ又は複数のプロセッサは、同一のＲＦチェーンに異なる伝送で異なるアンテナが割り当てられるように、前記アンテナ制御パラメータを配置する請求項１に記載の装置。
【請求項４】
各ＲＦチェーンに少なくとも１つのアンテナが割り当てられ、各アンテナは１つのＲＦチェーンのみに割り当てられる請求項１から３のいずれか１項に記載の装置。
【請求項５】
前記１つ又は複数のプロセッサは、さらに、目標性能パラメータによって前記アンテナ制御パラメータを配置することで、前記アンテナ制御パラメータに基づくアンテナの割り当てが前記目標性能パラメータを実現できるように配置される請求項１に記載の装置。
【請求項６】
前記目標性能パラメータは、前記受信機のサービス品質ＱｏＳパラメータ及びネットワークスループットのうちの少なくとも１つを含む請求項５に記載の装置。
【請求項７】
前記１つ又は複数のプロセッサに接続され、且つ、前記第１の数のＲＦチェーンが含まれるＲＦ回路と、
第２の数の位相シフタと、
前記第２の数の位相シフタを介して前記ＲＦ回路に接続される前記第２の数のアンテナと、
をさらに含み、
前記ＲＦ回路は、前記１つ又は複数のプロセッサにより配置した前記アンテナ制御パラメータによって、前記第２の数のアンテナを介して前記１つ又は複数の受信機にデータ信号を伝送する請求項１に記載の装置。
【請求項８】
前記アンテナ制御パラメータによって動作するスイッチ回路をさらに含み、
前記スイッチ回路は、前記第１の数のＲＦチェーン、前記第２の数の位相シフタ、及び前記第２の数のアンテナを動的に接続する請求項７に記載の装置。
【請求項９】
前記スイッチ回路は、第１のスイッチサブ回路及び第２のスイッチサブ回路を含み、
前記第１のスイッチサブ回路は、前記第１の数のＲＦチェーンを前記第２の数の位相シフタに動的に接続し、前記第２のスイッチサブ回路は、前記第２の数の位相シフタを前記第２の数のアンテナに動的に接続する請求項８に記載の装置。
【請求項１０】
前記アンテナ制御パラメータは、前記スイッチ回路の制御指示及び前記位相シフタの位相パラメータを含む請求項８に記載の装置。
【請求項１１】
前記１つ又は複数のプロセッサは、さらに、
ＲＦチェーンに接続された位相シフタの位相パラメータ及びチャネル状態に基づいて、前記複数のデータフローをプリコーディングするためのプリコーディング行列を生成し、
前記プリコーディング行列を使用して前記複数のデータフローをプリコーディングするように配置され、
プリコーディングされたデータが前記第１の数のＲＦチェーンに供給される請求項８に記載の装置。
【請求項１２】
前記１つ又は複数のプロセッサは、さらに、前記受信機からのフィードバック情報に基づいて、アンテナを再割り当てるように配置される請求項１に記載の装置。
【請求項１３】
通信ネットワークにおける受信側の装置であって、
送信機の第１の数のＲＦチェーンのうちの少なくとも２つのＲＦチェーンを介して伝送されるデータ信号を受信し復調するように配置される１つ又は複数のプロセッサを含み、
前記少なくとも２つのＲＦチェーンは、アンテナ制御パラメータに基づいて、異なる数のアンテナが動的に割り当てられ伝送を行い、
前記第１の数のＲＦチェーンのいずれか１つのＲＦチェーンに、いずれか１つのアンテナが配置可能に割り当てられる装置。
【請求項１４】
前記１つ又は複数のプロセッサは、さらに、前記送信機へ前記データ信号の受信性能を示す情報を供給して、前記送信機が前記情報によってアンテナを再割り当てるように配置される請求項１３に記載の装置。
【請求項１５】
通信システムにおけるダウンリンク信号を送信する方法であって、
第１の数のＲＦチェーンによって１つ又は複数の受信機に伝送される複数のデータフローを生成し、
第２の数のアンテナを前記第１の数のＲＦチェーンに割り当てるためのアンテナ制御パラメータを配置すること、
を含み、
行う伝送に前記アンテナ制御パラメータを動的に配置し、前記第２の数のアンテナのいずれか１つのアンテナは前記第１の数のＲＦチェーンのいずれか１つのＲＦチェーンに配置可能に割り当てられる方法。
【請求項１６】
前記第１の数のＲＦチェーンを第１のスイッチ回路を介して第２の数の位相シフタに動的に接続し、前記第２の数の位相シフタを第２のスイッチ回路を介して前記第２の数のアンテナに動的に接続することをさらに含み、
前記第１のスイッチ回路と前記第２のスイッチ回路は、前記アンテナ制御パラメータによって動作する請求項１５に記載の方法。
【請求項１７】
目標性能パラメータによって前記アンテナ制御パラメータを配置することで、前記アンテナ制御パラメータに基づくアンテナの割り当てが前記目標性能パラメータを実現できるようにすることをさらに含む請求項１５に記載の方法。
【請求項１８】
ＲＦチェーンに接続された位相シフタの位相パラメータ及びチャネル状態に基づいて前記複数のデータフローをプリコーディングするためのプリコーディング行列を生成し、
前記プリコーディング行列を使用して前記複数のデータフローをプリコーディングすること、
をさらに含み、
プリコーディングされたデータは、前記第１の数のＲＦチェーンに供給される請求項１６に記載の方法。
【請求項１９】
通信システムにおける基地局側の装置であって、
複数のアンテナを介して伝送される複数のデータフローを生成し、
目標性能パラメータに基づいてアンテナ制御パラメータを配置し、
前記アンテナ制御パラメータによって、各データフローに１つ又は複数のアンテナを動的に割り当てて伝送を行うように配置される１つ又は複数のプロセッサを含み、
前記複数のアンテナのいずれか１つのアンテナは、前記複数のデータフローのいずれか１つのデータフローに配置可能に割り当てられる装置。
【請求項２０】
前記目標性能パラメータは、前記データフローを受信する受信機のサービス品質ＱｏＳパラメータ及びネットワークスループットのうちの少なくとも１つを含む請求項１９に記載の装置。
【発明の詳細な説明】
【技術分野】
【０００１】
本発明は、無線通信方法及び無線通信装置に関し、特に、アンテナリソースの柔軟的な割り当てを実現できる無線通信方法及び無線通信装置に関する。
【背景技術】
【０００２】
近年、幾何学的倍数で増大する移動通信の需要に対処するために、ミリ波帯における多くの利用可能なスペクトルが広く注目されている。ミリ波帯のチャネル特性は、パスフェージングが大きすぎるため、移動体通信にはあまり適さないが、大規模な多入力多出力技術(ＭａｓｓｉｖｅＭｕｌｔｉ-Ｉｎｐｕｔ  Ｍｕｌｔｉ-Ｏｕｔｐｕｔ)は、ミリ波帯のパスフェージングを効果的に補償することができる。
【０００３】
アンテナ数、アンテナサイズ、及びアンテナピッチを考慮すると、１〜４ＧＨｚスペクトラムで動作する基地局は、大規模アンテナを装備すると、基地局がふくれあがって、ミリ波帯を採用すると、基地局のサイズが大幅に縮小される。例えば、アンテナサイズは無線電波の波長に比例するので、６０ＧＨｚ帯域のアンテナサイズは２ＧＨｚ帯域のアンテナの１/３０に過ぎず、アンテナピッチも同様の特性を有する。そのため、大規模アンテナ技術とミリ波通信の組み合わせにより大量のアンテナを備えた基地局が可能になる。
【０００４】
大量のアンテナを備えた基地局では、従来の全デジタルプリコーディングアーキテクチャはＫ個のユーザーのベースバンドデータフローを１つのベースバンドの全デジタルプリコーディング行列を介してＭ個のＲＦチェーン(Ｒａｄｉｏ  Ｆｒｅｑｕｅｎｃｙ  Ｃｈａｉｎ)及びアンテナにマッピングすることで、最適のプリコーディングパフォーマンスを得る。しかしながら、このような構造は、Ｍ個のＲＦチェーンを必要とし、その結果、ミリ波デバイスに対する需要が大きくなり、電力消費も大きくなる。
【発明の概要】
【発明が解決しようとする課題】
【０００５】
性能と消費電力との間の妥協を達成するために、Ｌ(Ｋ|Ｌ＜＜Ｍ)個のＲＦチェーンを採用してベースバンドデジタルストリームを位相シフタによってアンテナに接続するハイブリッドプリコーディングアーキテクチャが提案された。例えば、特許出願ＷＯ２０１３１１９０３９Ａ１は、特定のＲＦチェーンに対して、アンテナアレイの特定の部分のアンテナを使用して信号送信を行う固定サブ接続のハイブリッドプリコーディングアーキテクチャが提案された。しかし、異なるＲＦチェーン間でアンテナを互いに借りることができないので、ＲＦチェーンとアンテナとの配置に柔軟性がない。
【０００６】
本発明は、上述した問題を解決するために、ＲＦチェーンとアンテナとの間の柔軟な接続構造を定義した、より柔軟なアンテナ配置方案を提出している。なお、本発明は、アンテナと位相シフタとの間の接続方式をさらに配置することができ、より柔軟なアンテナリソース配分を実現することができる。
【課題を解決するための手段】
【０００７】
本発明の一態様によれば、通信システムにおける送信側の装置を提供しており、第１の数のＲＦチェーンを介して１つ又は複数の受信機に伝送される複数のデータフローを生成し、第２の数のアンテナを第１の数のＲＦチェーンに割り当てるためのアンテナ制御パラメータを配置するように配置される１つ又は複数のプロセッサを含み、当該１つ又は複数のプロセッサは、行う伝送にアンテナ制御パラメータを動的に配置し、第２の数のアンテナのいずれか１つのアンテナが第１の数のＲＦチェーンのいずれか１つのＲＦチェーンに配置可能に割り当てられる。
【０００８】
本発明の他の態様によれば、通信ネットワークにおける受信側の装置を提供しており、送信機の第１の数のＲＦチェーンのうち少なくとも二つのＲＦチェーンを介して伝送されるデータ信号を受信し復調するように配置される１つ又は複数のプロセッサを含み、当該少なくとも二つのＲＦチェーンには、アンテナ制御パラメータに基づいて、異なる数のアンテナが動的に割り当てられ伝送を行い、当該第１の数のＲＦチェーンのいずれか１つのＲＦチェーンにいずれか１つのアンテナが配置可能に割り当てられる。
【０００９】
本発明の他の態様によれば、通信システムにおいてダウンリンク信号を送信する方法を提供しており、第１の数のＲＦチェーンを介して１つ又は複数の受信機に伝送される複数のデータフローを生成し、第２の数のアンテナを第１の数のＲＦチェーンに割り当てるためのアンテナ制御パラメータを配置することを含み、行う伝送にアンテナ制御パラメータを動的に配置し、第２の数のアンテナのいずれか１つのアンテナが第１の数のＲＦチェーンのいずれか１つのＲＦチェーンに配置可能に割り当てられる。
【００１０】
本発明の他の態様によれば、通信システムにおける基地局側の装置を提供しており、複数のアンテナを介して伝送する複数のデータフローを生成し、目標性能パラメータに基づいてアンテナ制御パラメータを配置し、アンテナ制御パラメータによって、各データフローに１つ又は複数のアンテナを動的に割り当てて伝送を行うように配置される１つ又は複数のプロセッサを含み、当該複数のアンテナのいずれか１つのアンテナは、当該複数のデータフローのいずれか１つのデータフローに配置可能に割り当てられる。
【図面の簡単な説明】
【００１１】
本発明は、添付の図面と併せた以下の説明を参照することにより、よりよく理解されるべきであり、全ての図面において同じ又は類似の符号を使用して同じ又は類似の部分を示す。添付の図面は、以下の詳細な説明と共に、本明細書に組み込まれ、本明細書の一部を構成し、そして、本発明の好ましい実施形態をさらに説明し、本発明の原理および利点を説明するために用いられる。図面において、
【００１２】
【図１】本発明の第１の実施例による送信側装置を概略的に示すブロック図である。
【図２】第１の実施例による送信側装置におけるプロセッサを示す概略図である。
【図３】本発明の第２の実施例による送信側装置を概略的に示すブロック図である。
【図４】本発明の第３の実施例による送信側装置を概略的に示すブロック図である。
【図５】本発明の第４の実施例による送信側装置を概略的に示すブロック図である。
【図６】本発明によるフィードバックメカニズムを概略的に示す図である。
【図７】本発明によるダウンリンク信号の送信方法のフローチャートである。
【図８】コンピュータハードウェアの例示的な配置を示すブロック図である。
【発明を実施するための形態】
【００１３】
図１には、本発明の第１の実施例による送信側装置の構成ブロック図を示した。なお、以下、主に送信側装置を基地局側装置として説明するが、送信側装置は、モバイル端末側装置であってもよく、例えば、モバイル端末側にアンテナアレイ及び複数のＲＦチェーンも設けられ、且つＭＩＭＯ技術を利用して信号の送信を行う場合に、本発明を適用することも可能である。そのため、以下の基地局が実行する処理は、複数の送信アンテナを有するモバイル端末によって実行されてもよい。
【００１４】
図１に示すように、Ｋ個のベースバンドデータフローはプリコーダ１１０に入力される。プリコーダ１１０はデジタルプリコーディング行列Ｗを使用してベースバンドデータフローをプリコーディングし、プリコーディングされたＫ個のデータフローがそれぞれ送信のために、Ｋ個のＲＦチェーンに供給される。本発明のいくつかの例では、データフローはコードワードがレイヤーマッピングされた後に形成されるデータレイヤーとみなされてもよい。プリコーダ１１０は、Ｋ個のデータフローのエアインターフェース伝送における干渉を抑制するように、デジタルプリコーディングを実行する。ＲＦチェーンは、ベースバンド信号に対してアップコンバート、増幅、フィルタリングなどの処理を行ってＲＦ信号を生成する。なお、デジタルプリコーディングを行った後、例えば、分解アルゴリズム(Ｄｅｃｏｍｐｏｓｉｔｉｏｎ  Ａｌｇｏｒｉｔｈｍ)を採用してデジタルプリコーディング行列Ｗを生成する場合に、１つのＲＦチェーン上で１つのデータフローに対応するデータ信号のみを搬送することができる。なお、１つのＲＦチェーン上で複数のデータフローを重み付けて得られる複合データ信号を搬送してもよい。
【００１５】
Ｋ個のＲＦチェーンは、接続ネットワーク１２０を介してＭ個の位相シフタ１４０に接続され、Ｍ≧Ｋである。接続ネットワーク１２０を配置することによって、ＲＦチェーンと位相シフタ１４０との間の接続方式を動的に配置することができる。１つのＲＦチェーンは１つ又は複数の位相シフタ１４０に接続でき、１つの位相シフタ１４０は１つのＲＦチェーンのみに接続することができる。特に、Ｋ個のＲＦチェーンのうち少なくとも２つのＲＦチェーンは異なる数の位相シフタ１４０に接続することができる。
【００１６】
続いて、Ｍ個の位相シフタ１４０は接続ネットワーク１３０を介してＭ個のアンテナ１５０に接続される。位相シフタ１４０はアンテナ１５０の数と同じであり、１対１の接続方式が採用される。接続ネットワーク１３０を配置することによって、位相シフタ１４０とアンテナ１５０との間の接続方式を動的に配置することができ、例えば、各位相シフタ１４０に接続される対応するアンテナ１５０を確定する。
【００１７】
以上のようにして、Ｋ個のユーザー用のベースバンドデータフローは、Ｋ個のＲＦチェーン出力信号に変換され、その後、接続ネットワーク１２０、１３０の配置に従って、当該Ｋ個のＲＦチェーン出力信号は、Ｍ個のアンテナを介してＫ個の受信側ユーザーに送信される。接続ネットワーク１２０、１３０によって、Ｍ個のアンテナのうちいずれか１つのアンテナがＫ個のＲＦチェーンのうちいずれか１つのＲＦチェーンに配置可能に接続することができる。ここで、ＲＦチェーンと位相シフタとの接続方式を確定するように、アナログプリコーディング行列Ｆによって接続ネットワーク１２０を制御する。アナログプリコーディング行列Ｆを使用したアナログプリコーディングプロセスは、ユーザーの受信品質を改善することに役立つ。
【００１８】
接続ネットワーク１２０、１３０はデジタル回路によって制御される接続スイッチで実現することができる。従来のスイッチ回路は、ミリ秒程度のスイッチング頻度を達成することができるので、本発明のアンテナ割り当ての性能要求を満たすことができる。そのため、当業者であれば、適切な公知のデバイスを採用して接続ネットワーク１２０、１３０を実現することができ、ここで、説明を繰り返さない。
【００１９】
上述した方法によって、Ｋ個のユーザーにより受信したダウンリンクデータ信号は以下のように表すことができる。
【００２０】
【数１】
2018532315.tif 000003
【００２１】
なお、ｙ＝［ｙ１ｙ２・・・ｙｋ］Ｔであり、ｙｋは第ｋ個のユーザーが受信したダウンリンクデータ信号を表す。
【００２２】
【数２】
2018532315.tif 000004
【００２３】
なお、
【数３】
2018532315.tif 000005
は、接続ネットワーク１３０の配置行列を表し、ｃｉはｃｉ番目のアンテナがｉ番目の位相シフタに接続されることを表し、
【数４】
2018532315.tif 000006
は、Ｍ個のアンテナからＫ個のユーザーへのダウンリンクチャネル行列を表す。
【００２４】
数式(２)から分かるように、
【数５】
2018532315.tif 000007
は、元のダウンリンクチャネル行列Ｈと接続ネットワーク１３０の配置行列ｃがｓｗａｐ機能によって生成したものであり、位相シフタ側の等価チャネル行列を表す。具体的には、Ｈ′のｉ番目の列は、Ｈのｃｉ番目の列である。
【００２５】
また、数式(１)において、
【数６】
2018532315.tif 000008
は、接続ネットワーク１２０と位相シフタ１４０の位相に基づいて生成されるアナログプリコーディング行列を表す。アナログプリコーディング行列Ｆの各行は、１つの非ゼロ要素のみを有し、これは、各位相シフタが１つのＲＦチェーンのみに接続可能であることを意味する。
【００２６】
Ｆｉ，ｊ≠０は、ｉ番目の位相シフタがｊ番目のＲＦチェーンに接続されることを表し、Ｆｉ，ｊの値は、ｉ番目の位相シフタ１４０の位相を表し、逆に、Ｆｉ，ｊ＝０は、両方が接続されないことを表す。位相シフタ１４０の位相が定数モジュラスであってかつ定量化されるものであると仮定すると、本文ではＢビットの定量化を採用すると仮定し、Ｆｉ，ｊは以下のように表すことができる。
【００２７】
【数７】
2018532315.tif 000009
【００２８】
また、
【数８】
2018532315.tif 000010
は、ダウンリンクチャネル状態とアナログプリコーディング行列Ｆに基づいて生成されるデジタルプリコーディング行列を表す。
【００２９】
また、ｓ＝［ｓ１ｓ２・・・ｓｋ］Ｔであって、ｓｋは、基地局が送信した、ｋ番目のユーザーに対するダウンリンクデータ信号を表す。また、
【数９】
2018532315.tif 000011
はノイズを表す。
【００３０】
本実施例によれば、接続ネットワーク１２０によって、Ｍ個の位相シフタのうちいずれかの１つ又は複数は、Ｋ個のＲＦチェーンのいずれか１つに接続されることができる。また、接続ネットワーク１３０によって、Ｍ個の位相シフタとＭ個のアンテナとの間は完全に柔軟に接続でき、この場合に、接続ネットワーク１３０の配置行列ｃ＝［ｃ１ｃ２・・・ｃｍ］は
【数１０】
2018532315.tif 000012
という制約条件を満たす必要がある。
【００３１】
図２は、第１の実施例による送信側装置におけるプロセッサを示す概略図である。図２に示すように、プロセッサ２００は、データフロー生成モジュール２１０と、アンテナ割り当て制御モジュール２２０と、デジタルプリコーディング行列生成モジュール２３０とを含む。データフロー生成モジュール２１０は、Ｋ個のベースバンドデータフローを生成するためのものである。アンテナ割り当て制御モジュール２２０は、アンテナ割り当てアルゴリズムによって接続ネットワーク１２０、１３０の配置行列と位相シフタ１４０の位相パラメータを計算し、計算結果に基づいて制御信号を生成して、Ｋ個のＲＦチェーンとＭ個の位相シフタ１４０及びＭ個の位相シフタ１４０とＭ個のアンテナ１５０との間の動的な接続を制御することで、所望の目標性能パラメータを実現する。本発明において、目標性能パラメータは、例えば、受信側ユーザーのＱｏＳ要求又はシステムのスループット要求であってもよい。また、デジタルプリコーディング行列生成モジュール２３０は、計算した位相シフタ１４０の位相パラメータ及びダウンリンクチャネル状態に基づいてデジタルプリコーディング行列Ｗを生成し、プリコーダ１１０は生成したデジタルプリコーディング行列Ｗを使用してＫ個のデータフローをデジタルプリコーディングし、プリコーディングされたデータフローをＫ個のＲＦチェーンに供給する。なお、プリコーダ１１０は、図２ではプロセッサ２００の外部に示されたが、一般的に、プロセッサ２００内に組み込まれて、プロセッサ２００の一部を構成してもよい。
【００３２】
以下ＱｏＳ要求とスループット要求のそれぞれについてプロセッサ２００が実行するアンテナ割り当ての処理を具体的には説明する。
【００３３】
図１で、各ＲＦチェーンに対してＮｋ個の位相シフタ(及び対応するように、Ｎｋ個のアンテナ)が割り当てられると仮定する。異なるユーザーの異なるＱｏＳ要求を満たすために、
【数１１】
2018532315.tif 000013
が満たされる前提で、アンテナの割り当て
【数１２】
2018532315.tif 000014
を調整することによって異なるＱｏＳを達成することができる。具体的には、Ｎｋが大きければ大きいほど、より多くの数のアンテナをｋ番目のＲＦチェーン、即ち、ｋ番目のデータフローに割り当てることを表す。これによって、対応する受信側のユーザーの受信信号品質が改善され、より高いＱｏＳが供給することができる。
【００３４】
一方、
【数１３】
2018532315.tif 000015
が満たされる前提で、アンテナの割り当て
【数１４】
2018532315.tif 000016
を調整することによってダウンリンクのスループットを最適化することができる。具体的には、より多くの数のアンテナを、良好なチャネル状態を有するユーザーに対応するデータフローに割り当てることによって、基地局の全体的なスループットを高めることができる。
【００３５】
なお、上記の二つの側面では、より多くの数のアンテナを割り当てる他に、例えば、より高い利得を有するアンテナを割り当てるようにして、性能がより良いアンテナを割り当てることによって、目標性能を実現することができる。
【００３６】
例えば、本実施例では、基地局のプロセッサ２００は、ユーザーのＱｏＳ要求によって、アンテナの数の割り当て、即ち、各ＲＦチェーンに割り当てられる位相シフタとアンテナの数を確定することができる。あるＲＦチェーンに対応する位相シフタの位相が一定期間内に変化しないと仮定する。この場合、プロセッサ２００は、さらに、ユーザーのＱｏＳ要求に基づいて、瞬時チャネル利得が良いアンテナを当該ユーザーのＲＦチェーンに対応する位相シフタに割り当てることができ、当該ユーザーのダウンリンク等価チャネルを増強し、ダウンリンク信号受信強度を高める。
【００３７】
図３に、本発明の第２の実施例による送信側装置の構成ブロック図を示した。第２の実施例は、第１の実施例を簡略化した方案である。具体的には、図１及び図２と比べると、図３では、接続ネットワーク１３０が省略されており、接続ネットワーク１２０は簡略化されている。簡単明瞭のために、以下、第２の実施例の第１の実施例と同じ部分(例えば、プロセッサ２００、プリコーダ１１０、ＲＦチェーンなど)の説明が省略され、相違点のみについて強調説明する。
【００３８】
図３では、図１に示す位相シフタとアンテナとの間の接続ネットワーク１３０が省略されているので、本実施例において、１つのアンテナは１つの位相シフタに固定接続され、それらの組み合わせはアンテナアレイ１７０における１つの円で表され、以下、この組み合わせを総称してアンテナ１５０と呼ぶ。
【００３９】
なお、図１に示す接続ネットワーク１２０を簡略化した方案として、本実施例は、Ｍ個のアンテナをＫ個のＲＦチェーンに割り当てるための「スライディングウィンドウ」方案を提供している。具体的には、合計数がＭ個であるアンテナ１５０を配列した後、Ｋ個のＲＦチェーン全てにアンテナが割り当てられるまで、ＲＦチェーン１を前Ｎ１個のアンテナ１５０に接続し、ＲＦチェーン２を次のＮ２個のアンテナ１５０に接続することなどが続く。以上のように、具体的な目標性能に基づいて、各ＲＦチェーンに異なるアンテナを動的に割り当てることができ、本実施例のこのような割り当て方法は、主に、割り当てられるアンテナの数を変更することによって目標性能パラメータを実現する。図３に、アンテナアレイ１７０における各ＲＦチェーンに対応するアンテナウィンドウのサイズを変更することによって各ＲＦチェーンに割り当てられるアンテナリソースを変更することが直観的に示される。
【００４０】
本実施例によれば、接続ネットワーク１２０を簡略化するので、アナログプリコーディング行列Ｆは次のように表すことができる。
【００４１】
【数１５】
2018532315.tif 000017
【００４２】
なお、
【数１６】
2018532315.tif 000018
は長さがＮｋであるゼロ列ベクトルを表し、
【数１７】
2018532315.tif 000019
は、ｋ番目のＲＦチェーンに接続されるＮｋ個の位相シフタの位相を表す。
【００４３】
行列Ｆにおける非ゼロベクトルｆｋの位置は、スライディングウィンドウの制約、即ち、連続する複数のアンテナ１５０を順次選択するという制約を満たし、
【数１８】
2018532315.tif 000020
は、アンテナの合計数に対する制約を表す。
【００４４】
本実施例において、基地局のプロセッサ２００は、まず、具体的な目標性能パラメータに基づいてアンテナ数の割り当て方法、即ち、
【数１９】
2018532315.tif 000021
を確定し、そして、
【数２０】
2018532315.tif 000022
に基づいてアナログプリコーディング行列Ｆにおける非ゼロ要素の位置を確定する。続いて、ダウンリンク等価チャネルを最も強くする、即ち、
【数２１】
2018532315.tif 000023
(その中、ＨはＫ個のユーザーまでのダウンリンクチャネル行列である)を最大にすることを原則として、アナログプリコーディング行列Ｆにおける非ゼロ要素の値を位相シフタの位相値として確定する。その後、確定された等価チャネルＨＦによって、例えば整合フィルタ(ＭＦ)とゼロフォーシング基準(ＺＦ)を採用して、ベースバンドデータフローをデジタルプリコーディングするためのデジタルプリコーディング行列Ｗを生成する。
【００４５】
ゼロフォーシング基準を使用してデジタルプリコーディング行列Ｗを計算する例で、１つのＲＦチェーン上で、複数のデータフローを重み付けして得られる複合データ信号を搬送すると仮定すると、この場合に、この複合データ信号における占める重みが大きいデータフローに対応する受信側ユーザーのＱｏＳ要求は、ＲＦチェーンに割り当てられるアンテナリソースにより大きい影響を与える。
【００４６】
本実施例によって提供される「スライディングウィンドウ」方案は、実現方式が簡単でハードウェアコストが低く、例えば以下のような場面に適用できる。
【００４７】
場面１：受信端ユーザーのＱｏＳ要求に基づいて、対応するユーザーのデータ信号を送信するためのアンテナの数を確定する。例えば、あるユーザーの通信品質が悪く、基地局にサービス品質の改善を要求する時に、基地局は、より多くのアンテナを割り当て当該ユーザーのデータ信号を伝送することで、当該ユーザーのダウンリンク受信信号対雑音比を改善して、通信品質を向上させることができる。
【００４８】
場面２：基地局は、システム全体のスループットを改善するように、より多くのアンテナを、良い通信条件を有するユーザーに割り当てる。
【００４９】
図４は、本発明の第３の実施例による送信側装置の構成ブロック図を示した。図１及び図２に示す第１の実施例と比較して、第３の実施例は、接続ネットワーク１３０を省略して基地局構造を簡略化した。簡単明瞭のために、以下、第３の実施例の第１の実施例と同じ部分(例えば、プロセッサ２００、プリコーダ１１０、ＲＦチェーンなど)の説明は省略し、第３の実施例の相違点のみについて説明する。
【００５０】
本実施例では、位相シフタ１４０とアンテナ１５０との間の接続ネットワーク１３０が省略されているので、位相シフタ１４０とアンテナ１５０は１対１の固定接続と見なすことができる。
【００５１】
図４に示すように、Ｋ個のＲＦチェーンとＭ個の位相シフタ１４０との間の接続ネットワーク１２０は、図１における接続ネットワーク１２０と同様に、ＲＦチェーンと位相シフタ１４０(及びアンテナ１５０)との間の接続方式を全体的に配置するために使用される。つまり、Ｍ個の位相シフタにおける任意のＮｋ個の位相シフタは、ｋ番目のＲＦチェーンに接続されることができる。この点に関して、接続ネットワーク１２０の複雑さは第２の実施例における「スライディングウィンドウ」方案より高い。
【００５２】
本実施例では、アナログプリコーディング行列Ｆは、次のように表すことができる。
【００５３】
【数２２】
2018532315.tif 000024
【００５４】
それは、次の制約条件を満たす。
条件１：
【数２３】
2018532315.tif 000025
条件２：ｊ番目のＲＦチェーンにＮｊ個の位相シフタ(アンテナ)を割り当てると仮定すると、
【数２４】
2018532315.tif 000026
条件３：各位相シフタ(アンテナ)が１つのＲＦチェーンにしか接続できないので、
【数２５】
2018532315.tif 000027
【００５５】
本実施例では、基地局のプロセッサ２００は、まず、目標性能に基づいてアンテナの数の割り当て方案、即ち、
【数２６】
2018532315.tif 000028
を確定し、その後、ユーザーのＱｏＳのレベルに基づいてアンテナ選択の順序を確定し、即ち、高いＱｏＳ要求を有するユーザーを優先して利得が高いアンテナを選択し、アナログプリコーディング行列Ｆにおける非ゼロ要素の位置を確定する。続いて、ダウンリンク等価チャネルを最も強くする、即ち、
【数２７】
2018532315.tif 000029
を最大にすることを原則として、アナログプリコーディング行列Ｆにおける非ゼロ要素の値を位相シフタの位相値として確定する。その後、確定された等価チャネルＨＦに基づいてデジタルプリコーディング行列Ｗを生成して、ベースバンドデータフローをデジタルプリコーディングする。
【００５６】
第２の実施例に比べて、本実施例では、ただ順番に割り当てるのではなく、アンテナ利得を考慮してアンテナをより柔軟に割り当てることができるので、例えば、受信側ユーザーのＱｏＳ要求に基づいて、アンテナアレイにおいて利得が高いアンテナを選択してＱｏＳ要求が高いユーザーのデータ信号を送信するという場面に適用できる。また、ＱｏＳを保証するために、第２の実施例におけるアンテナ数の制御方式を同時に採用してもよい。
【００５７】
本発明の実施例において、受信側ユーザーは、基地局へ送信する、例えばチャネル状態情報基準信号(ＣＳＩ-ＲＳ)のような基準信号を測定し、それに応じてチャネル状態を推定して、チャネル状態情報(ＣＳＩ)を取得して基地局に報告することができる。基地局は、ユーザーが報告する、例えばチャネル方向情報(ＣＤＩ)又はプリコーディング行列インジケータ(ＰＭＩ)のようなチャネル状態情報に基づいて、アンテナ利得を確定し、アンテナ利得を考慮してアンテナの割り当てを行う。
【００５８】
図５は本発明の第４の実施例による送信側装置の構成ブロック図を示した。第４の実施例は、図１及び図２に示す第１の実施例と比較して、接続ネットワーク１３１が異なる。簡単明瞭のために、以下、第４の実施例が第１の実施例と同じ部分(例えば、プロセッサ２００、プリコーダ１１０、接続ネットワーク１２０など)の説明は省略し、第４の実施例の相違点のみについて説明する。
【００５９】
図１に示す接続ネットワーク１３０は、Ｍ個の位相シフタ１４０とＭ個のアンテナ１５０との間で全体的に配置を行う。即ち、いずれかの位相シフタ１４０は、接続ネットワーク１３０によって、いずれかのアンテナ１５０に接続できる。
【００６０】
対照的に、図５に示す接続ネットワーク１３１は、位相シフタ１４０とアンテナ１５０に対して部分的に配置する。具体的には、Ｍ個の位相シフタ１４０とＭ個のアンテナ１５０は複数のグループに分割され、各グループは１つの接続ネットワーク１３１に対応し、当該接続ネットワーク１３１は、当該グループ内の位相シフタ１４０とアンテナ１５０との接続関係のみを配置する。そのため、同じグループに属する位相シフタ１４０とアンテナ１５０のみ互いに接続することができ、異なるグループに属する位相シフタ１４０とアンテナ１５０との間は接続することができない。
【００６１】
なお、図５には、ＲＦチェーンと位相シフタとの間に設けられた接続ネットワークが図１における接続ネットワーク１２０を使用することが示されたが、その代わり、図３に示す「スライディングウィンドウ」方案を使用してもよい。
【００６２】
以下、接続ネットワーク１３１の配置行列について説明する。
【００６３】
上述の接続ネットワーク１３０の配置行列ｃをＫ個の部分行列ｃ＝［ｃ１ｃ２・・・ｃｋ］に分割し、
【数２８】
2018532315.tif 000030
はｋ番目のＲＦチェーンに接続されるＮｋ個の位相シフタ１４０と同じグループに属するＮｋ個のアンテナ１５０との間の接続方式を表す。
【００６４】
図４における接続ネットワーク１２０が「スライディングウィンドウ」方案を採用すると仮定すると、ｋ番目のＲＦチェーンについて、それに対応する位相シフタ１４０とアンテナ１５０の番号は
【数２９】
2018532315.tif 000031
であり、両者の間の部分行列
【数３０】
2018532315.tif 000032
は以下のような制約条件を満たす必要がある。
【００６５】
条件１：位相シフタは同じグループに属するアンテナのみに接続できるので、
【数３１】
2018532315.tif 000033
条件２：位相シフタとアンテナは１対１で接続するので、
【数３２】
2018532315.tif 000034
【００６６】
本実施例では、基地局のプロセッサ２００がユーザーのＱｏＳ要求に基づいてアンテナの数の割り当てを確定し(即ち、各ＲＦチェーンに割り当てられる位相シフタとアンテナの数を確定する)、あるＲＦチェーンに対応する位相シフタの位相は一定時間変化しないと仮定する。この場合、各ＲＦチェーンに割り当てられる位相シフタとアンテナと(即ち、同じグループに属する位相シフタとアンテナ)の間のマッチング利得を最大にすることを原則として、両者の間の接続ネットワーク１３１を設計する。
【００６７】
図１の接続ネットワーク１３０と比べると、本実施例の接続ネットワーク１３１は、比較的小さい範囲内で位相シフタとアンテナとの接続を配置するので、計算の複雑さ及びハードウェアパフォーマンスの要求を低下させ、つまり、接続ネットワーク１３１の実現の難度を低下させる。
【００６８】
例えば、本実施例は、以下の場面に適用可能である。
場面１：位相シフタの位相制御速度がチャネル利得の変化速度に追い付かない場合に、各グループにおいて、位相シフタとアンテナとの組み合わせを調整することによって、ユーザーの受信信号対雑音比を向上させることができる。
【００６９】
場面２：位相シフタが使用可能なコードブックが少ない場合に、位相シフタの位相設定はアンテナ利得とうまくマッチングしにくい可能性がある。この場合、各グループにおいて位相シフタとアンテナとの組み合わせを調整することによって、チャネル利得を最大にして、ユーザーの受信信号対雑音比を向上させることができる。
【００７０】
図６は、本発明によるフィードバックメカニズムを示した。図６に示すように、受信側ユーザーからのリソース割り当て要求又は再起動割り当て信号は、プロセッサ２００に入力され、プロセッサ２００はこれらの信号に基づいてアンテナ割り当てをリアルタイムで動的に調整することができる。
【００７１】
基地局を再起動するか、又は所定の時間間隔でリソースの再割り当てを行う(例えば、部分的調整無限ループを防止するなど)場合に、再起動割り当て信号を生成することができる。再起動割り当て信号を受信する場合に、プロセッサ２００は、上述した方式に従って、例えばリアルタイムのチャネル状態又はＱｏＳ要求等に基づいて、各ＲＦチェーンにアンテナリソースを再割り当てる。
【００７２】
また、特定の受信側ユーザーの通信品質が劣化した場合であって、かつ、基地局にアンテナリソースの改善を要求して通信品質を向上させるようにする場合に、基地局へリソース割り当て要求を送信することができる。例えば、リソース割り当て要求は、例えば、ユーザーがフィードバックしたチャネル品質インジケータ(ＣＱＩ)、プリコーディング行列インジケータ(ＰＭＩ)のようなチャネル状態情報(ＣＳＩ)を含むことができる。ユーザーからフィードバックしたチャネル状態及びリソース割り当て要求を受信した場合に、例えば、プロセッサ２００は、他のユーザーに用いられるアンテナを当該ユーザーに部分的に割り当てて、当該ユーザーのダウンリンク信号の受信強度を高めることができる。あるいは、アンテナの数を増やすことに加えて、基地局は、より良い性能(例えば、アンテナ利得)のアンテナをユーザーに割り当てることができる。
【００７３】
そして、プロセッサ２００は、接続ネットワーク１２０、１３０の配置及び位相シフタ１４０の相位パラメータを変更するための新しい接続ネットワーク制御信号を生成して、、アンテナの再割り当てを実現する。
【００７４】
図７は、本発明によるダウンリンク信号の送信方法を示すフローチャートである。以下、ダウンリンク信号の送信の流れについて図面を参照して具体的に説明する。
【００７５】
まず、ステップＳ７１０のように、基地局は、受信したアップリンクパイロットに基づいてアップリンクチャネル推定を取得し、時分割複信（ＴＤＤ）システムにおいて、アップリンク及びダウンリンクのチャネル特性が相互性を有するので、基地局は取得したアップリンクチャネル推定に基づいてダウンリンクチャネル推定を取得することができる。
【００７６】
その後、ステップＳ７２０では、プロセッサ２００のアンテナ割り当て制御モジュール２２０は、例えば、各ユーザーのＱｏＳ要求又はシステムスループットのような目標性能パラメータに基づいて、アンテナ割り当てアルゴリズムによってＲＦチェーンと位相シフタとの間の接続ネットワーク１２０、位相シフタとアンテナとの間の接続ネットワーク１３０、及び位相シフタの相位パラメータを計算する。
【００７７】
ステップＳ７３０では、アンテナ割り当て制御モジュール２２０は、計算した結果に基づいて、接続ネットワーク１２０、１３０及び位相シフタ１４０を配置するための接続ネットワーク制御信号を生成して、アンテナリソースの割り当てを実現する。
【００７８】
また、ステップ７４０では、プロセッサ２００のデジタルプリコーディング行列生成モジュール２３０は、さらに、計算された接続ネットワーク１２０、１３０と位相シフタ１４０のパラメータに基づいて、アナログプリコーディング行列ＦとＲＦ端の等価チャネルを計算する。
【００７９】
そして、ステップＳ７５０では、デジタルプリコーディング行列生成モジュール２３０は、等価チャネルに基づいてデジタルプリコーディング行列Ｗを計算し、プリコーダ１１０は生成されたデジタルプリコーディング行列Ｗを使用してベースバンドデータフローをプリコーディングし、各ＲＦチェーンに供給することができる。上述したように、プリコーダ１１０の機能は、プロセッサ２００に集積されてもよい。
【００８０】
最後に、ステップＳ７６０では、ステップＳ７３０で割り当てられるアンテナを使用して各ＲＦチェーンのＲＦ信号を対応するユーザーに送信する。
【００８１】
以上、図面を参照して本発明の実施例を説明した。本発明による接続ネットワークの方案によれば、ＲＦチェーンとアンテナの間、及び位相シフタとアンテナの間の柔軟な配置を実現することができるとともに、アンテナアレイの完全な使用を可能にする。なお、本発明によれば、目標性能(例えば、ユーザーのＱｏＳ要求やシステムスループット)によって接続ネットワークを動的でリアルタイムに配置することで、ハイブリッドプリコーディングアーキテクチャの性能を大幅に向上させることができる。
【００８２】
本明細書で説明される各装置又はモジュールは、本質的に論理的であり、物理的デバイス又はエンティティに厳密に対応しない。例えば、本明細書で説明される各モジュールの機能は、複数の物理的エンティティによって実現されてもよく、あるいは、本明細書で説明される複数のモジュールの機能は、単一の物理的なエンティティによって実現されてもよい。なお、一実施例で説明される特徴、部品、要素、ステップなどは、この実施例に限定されず、他の実施例にも適用することができ、例えば、他の実施例における特定特徴、部品、要素、ステップなどの代わり、又はそれと組み合わせて使用することができる。
【００８３】
上述の実施例における各装置又はモジュールによって実行される一連の処理は、ソフトウェア、ハードウェア、又はソフトウェアとハードウェアの組み合わせによって実現することができる。ソフトウェアに含まれるプログラムは、各装置の内部又は外部に設けられた記憶媒体に予め記憶されてもよい。一例として、これらのプログラムは、実行中にランダムアクセスメモリ（ＲＡＭ）に書き込まれ、プロセッサ（例えば、ＣＰＵ）によって実行される。
【００８４】
本開示の技術は各種の製品に適用することができる。例えば、上記の各実施例における送信側装置は、基地局側の無線通信を制御する主体装置(基地局装置)又は完全に組み立てられた基地局として実現することができる。基地局は例えばマクロｅＮＢや小ｅＮＢなどの任意のタイプの進化ノードＢ（ｅＮＢ）として実現することができる。小ｅＮＢは、例えばピコｅＮＢ、マイクロｅＮＢと家庭(フェムト)ｅＮＢなどのマクロセルより小さいセルをカバーできるｅＮＢであってもよい。その代わりに、基地局は、例えばＮｏｄｅＢと基地局トランシーバ(ＢＴＳ)のような任意の他のタイプの基地局として実現することができる。基地局は、無線通信を制御するように配置される主体(基地局装置とも呼ばれる)と、主体と異なるところに設けられる１つ又は複数のリモート無線ヘッド(ＲＲＨ)とを含んでもよい。また、後述した各種端末は基地局機能を一時的又は半永久的に実行することによって、基地局として動作できる。
【００８５】
例えば、上記の各実施例における送信側装置と連携して動作する受信側装置は端末装置として実現することができ、例えば、モバイル端末(例えばスマートフォン、タブレットパーソナルコンピューター(ＰＣ)、ノートＰＣ、携帯ゲーム端末、ポータブル／ドングルモバイルルーターとデジタル撮影装置など)又は車載端末(カーナビゲーション装置など)として実現することができる。端末装置はマシンツーマシン(Ｍ２Ｍ)通信を実行する端末(マシンタイプ通信(ＭＴＣ)端末とも呼ばれる)として実現することもできる。なお、端末装置は、上記端末における各端末に搭載された無線通信モジュール(例えば単一チップを含む集積回路モジュール)であってもよい。
【００８６】
また、本発明におけるプロセッサは、ベースバンドプロセッサ、又はベースバンドプロセッサと汎用プロセッサとの組み合わせとして実現することができ、具体的には、例えば中央処理装置（ＣＰＵ）またはデジタル信号プロセッサ（ＤＳＰ）として実現される。
【００８７】
図８は上述した処理をプログラムに従って実行するコンピュータハードウェアを示す概略構成ブロック図である。
【００８８】
コンピュータ８００において、中央処理装置(ＣＰＵ)８０１、読み出し専用メモリ(ＲＯＭ)８０２及びランダムアクセスメモリ(ＲＡＭ)８０３はバス８０４により相互に接続されている。
【００８９】
入出力インタフェース８０５は、さらに、バス８０４に接続されている。入出力インタフェース８０５には、キーボード、マウス、マイクなどで形成された入力ユニット８０６と、ディスプレイ、スピーカなどで形成された出力ユニット８０７と、ハードウェア、不揮発性メモリなどで形成された記憶ユニット８０８と、ネットワークインタフェースカード(例えば、ローカルエリアネットワーク(ＬＡＮ)カード、モデムなど)で形成された通信ユニット８０９と、磁気ディスク、光ディスク、光磁気ディスク、又は半導体メモリなどのリムーバブルメディア８１１を駆動するドライブ８１０とが接続されている。
【００９０】
上記構成を有するコンピュータにおいて、ＣＰＵ８０１は、上述した処理を実行するように、記憶ユニット８０８に記憶されているプログラムを、入出力インタフェース８０５及びバス８０４を介してＲＡＭ８０３にロードし、当該プログラムを実行する。
【００９１】
コンピュータ(ＣＰＵ８０１)が実行するプログラムは、パッケージメディアとしてのリムーバブルメディア８１１に記録することができ、このパッケージメディアは例えば、磁気ディスク（フロッピディスクを含む）、光ディスク(コンパクトディスク - 読み取り専用メモリ(ＣＤ-ＲＯＭ))、デジタル多用途ディスク(ＤＶＤ)等を含む)、光磁気ディスク、又は半導体メモリで形成される。また、コンピュータ(ＣＰＵ８０１)によって実行されるプログラムは例えば、ローカルエリアネットワーク、インターネット、又はデジタル衛星放送の有線又は無線の伝送媒体によって提供されてもよい。
【００９２】
リムーバブルメディア８１１がドライブ８１０に装着されている場合に、プログラムを入出力インタフェース８０５を介して記憶ユニット８０８にインストールしてもよい。また、有線又は無線の伝送媒体を介して通信ユニット８０９によってプログラムを受信し、記憶ユニット８０８にインストールしてもよい。その代わり、プログラムをＲＯＭ８０２や記憶ユニット８０８に予めインストールしておいてもよい。
【００９３】
コンピュータが実行するプログラムは、本明細書に記載された順序に従って処理を実行するプログラムであってもよいし、並列に処理を実行するか必要に応じて（例えば、呼び出される場合）処理を実行するプログラムであってもよい。
【００９４】
以上、図面を参照しながら、本発明の実施例及びその技術的効果について詳細に説明したが、本発明の範囲はこれらに限定されるものではない。当業者であれば、本発明の精神及び範囲から逸脱することなく、設計要件および他の要因に依存して、本明細書で論じられる実施形態の様々な修正又は変更が可能であることを理解すべきである。本発明の範囲は、添付の特許請求の範囲又はその均等物によって定義される。
【００９５】
なお、本発明は以下のように配置されてもよい。
【００９６】
通信システムにおける送信側の装置は、第１の数のＲＦチェーンを介して１つ又は複数の受信機に伝送される複数のデータフローを生成し、前記第１の数のＲＦチェーンに第２の数のアンテナを割り当てるためのアンテナ制御パラメータを配置するように配置される１つ又は複数のプロセッサを含み、前記１つ又は複数のプロセッサは、行う伝送に前記アンテナ制御パラメータを動的に配置し、前記第２の数のアンテナにおけるいずれか１つのアンテナが前記第１の数のＲＦチェーンのいずれか１つのＲＦチェーンに配置可能に割り当てられる。
【００９７】
前記１つ又は複数のプロセッサは、前記第１の数のＲＦチェーンのうちの少なくとも２つのＲＦチェーンに異なる数のアンテナが割り当てられるように、前記アンテナ制御パラメータを配置する。
【００９８】
前記１つ又は複数のプロセッサは、同一のＲＦチェーンに異なる伝送で異なるアンテナが割り当てられるように、前記アンテナ制御パラメータを配置する。
【００９９】
各ＲＦチェーンには少なくとも１つのアンテナが割り当てられ、各アンテナは１つのＲＦチェーンのみに割り当てられる。
【０１００】
前記１つ又は複数のプロセッサは、さらに、目標性能パラメータによって前記アンテナ制御パラメータを配置することで、前記アンテナ制御パラメータに基づくアンテナの割り当てが前記目標性能パラメータを実現するように配置される。
【０１０１】
前記目標性能パラメータは、前記受信機のサービス品質ＱｏＳパラメータ及びネットワークスループットのうちの少なくとも１つを含む。
【０１０２】
前記装置は、前記１つ又は複数のプロセッサに接続され、且つ、前記第１の数のＲＦチェーンが含まれたＲＦ回路と、第２の数の位相シフタと、前記第２の数の位相シフタを介して前記ＲＦ回路に接続する前記第２の数のアンテナとをさらに含み、前記ＲＦ回路は前記１つ又は複数のプロセッサが配置した前記アンテナ制御パラメータによって、前記第２の数のアンテナを介して前記１つ又は複数の受信機にデータ信号を伝送する。
【０１０３】
前記装置は、前記アンテナ制御パラメータによって動作するスイッチ回路をさらに含み、前記スイッチ回路は、前記第１の数のＲＦチェーン、前記第２の数の位相シフタ、及び前記第２の数のアンテナを動的に接続する。
【０１０４】
前記スイッチ回路は、第１のスイッチサブ回路及び第２のスイッチサブ回路を含み、前記第１のスイッチサブ回路は、前記第１の数のＲＦチェーンを前記第２の数の位相シフタに動的に接続し、前記第２のスイッチサブ回路は、前記第２の数の位相シフタを前記第２の数のアンテナに動的に接続する。
【０１０５】
前記アンテナ制御パラメータは、前記スイッチ回路の制御指示及び前記位相シフタの位相パラメータを含む。
【０１０６】
前記１つ又は複数のプロセッサは、さらに、ＲＦチェーンに接続された位相シフタの位相パラメータ及びチャネル状態に基づいて、前記複数のデータフローをプリコーディングするためのプリコーディング行列を生成し、前記プリコーディング行列を使用して前記複数のデータフローをプリコーディングするように配置され、プリコーディングされたデータが前記第１の数のＲＦチェーンに供給される。
【０１０７】
前記１つ又は複数のプロセッサは、さらに、前記受信機からのフィードバック情報に基づいて、アンテナを再割り当てるように配置される。
【０１０８】
通信ネットワークにおける受信側の装置は、送信機の第１の数のＲＦチェーンのうちの少なくとも２つのＲＦチェーンを介して伝送されるデータ信号を受信し復調するように配置される１つ又は複数のプロセッサを含み、前記少なくとも２つのＲＦチェーンは、アンテナ制御パラメータに基づいて、異なる数のアンテナが動的に割り当てられ伝送を行い、前記第１の数のＲＦチェーンのいずれか１つのＲＦチェーンに、いずれか１つのアンテナが配置可能に割り当てられる。
【０１０９】
前記１つ又は複数のプロセッサは、さらに、前記送信機へ前記データ信号の受信性能を示す情報を供給して、前記送信機が前記情報によってアンテナを再割り当てるように配置される。
【０１１０】
通信システムにおけるダウンリンク信号を送信する方法は、第１の数のＲＦチェーンによって１つ又は複数の受信機に伝送される複数のデータフローを生成し、第２の数のアンテナを前記第１の数のＲＦチェーンに割り当てるためのアンテナ制御パラメータを配置することを含み、行う伝送に前記アンテナ制御パラメータを動的に配置し、前記第２の数のアンテナのいずれか１つのアンテナは前記第１の数のＲＦチェーンのいずれか１つのＲＦチェーンに配置可能に割り当てられる。
【０１１１】
前記方法は、前記第１の数のＲＦチェーンを第１のスイッチ回路を介して第２の数の位相シフタに動的に接続し、前記第２の数の位相シフタを第２のスイッチ回路を介して前記第２の数のアンテナに動的に接続することをさらに含み、前記第１のスイッチ回路と前記第２のスイッチ回路は前記アンテナ制御パラメータによって動作する。
【０１１２】
前記方法は、目標性能パラメータによって前記アンテナ制御パラメータを配置することで、前記アンテナ制御パラメータに基づくアンテナの割り当てが前記目標性能パラメータを実現することをさらに含む。
【０１１３】
前記方法は、ＲＦチェーンに接続された位相シフタの位相パラメータ及びチャネル状態に基づいて前記複数のデータフローをプリコーディングするためのプリコーディング行列を生成し、前記プリコーディング行列を使用して前記複数のデータフローをプリコーディングすることをさらに含み、プリコーディングされたデータは、前記第１の数のＲＦチェーンに供給される。
【０１１４】
通信システムにおける基地局側の装置は、複数のアンテナを介して伝送される複数のデータフローを生成し、目標性能パラメータに基づいてアンテナ制御パラメータを配置し、前記アンテナ制御パラメータによって、各データフローに１つ又は複数のアンテナを動的に割り当てて伝送するように配置される１つ又は複数のプロセッサを含み、前記複数のアンテナのいずれか１つのアンテナは、前記複数のデータフローのいずれか１つのデータフローに配置可能に割り当てられる。
【０１１５】
前記目標性能パラメータは、前記データフローを受信する受信機のサービス品質ＱｏＳパラメータ及びネットワークスループットのうちの少なくとも１つを含む。
【図１】
2018532315.tif 000035
【図２】
2018532315.tif 000036
【図３】
2018532315.tif 000037
【図４】
2018532315.tif 000038
【図５】
2018532315.tif 000039
【図６】
2018532315.tif 000040
【図７】
2018532315.tif 000041
【図８】
2018532315.tif 000042
【国際調査報告】
2018532315.tif 000043
2018532315.tif 000044
2018532315.tif 000045
2018532315.tif 000046